(57)【要約】【課題】  コストを高めることなく、所望の表示形態にて表示できる有機ＥＬパネルを提供することにある。【解決手段】  少なくとも発光層を有する有機層を一対の電極で挟持した積層体を支持基板上に配設する有機ＥＬ（エレクトロルミネッセンス）パネルに関して、透光性のガラス基板１上に形成される透明電極２と、透明電極２の上に位置して発光を呈する有機層４と、有機層４の上に位置して透明電極２と対向する背面電極５と、背面電極５と透明電極２との間に介在し有機層４の発光領域内に点状に複数設けられる調整部３２と、を備えてなる。【選択図】図２
2006012704.tif 000002
【特許請求の範囲】
【請求項１】
透光性の支持基板上に形成される透明電極と、前記透明電極の上に位置して発光を呈する有機層と、前記有機層の上に位置して前記透明電極と対向する背面電極と、前記背面電極と前記透明電極との間に介在し前記有機層の発光領域内に点状に複数設けられる絶縁体と、を備えてなることを特徴とする有機ＥＬパネル。
【請求項２】
前記絶縁体は、前記透明電極と前記有機層との間に介在し、外径が０．１５ｍｍ以下のものが複数設けられてなることを特徴とする請求項１に記載の有機ＥＬパネル。
【請求項３】
前記絶縁体は、透光性の材料からなることを特徴とする請求項１または請求項２に記載の有機ＥＬパネル。
【請求項４】
前記絶縁体は、有色の材料からなることを特徴とする請求項３に記載の有機ＥＬパネル。
【請求項５】
前記絶縁体は、前記発光領域内において、配設密度の高い部分と低い部分とが設けられてなることを特徴とする請求項４に記載の有機ＥＬパネル。
【請求項６】
支持基板上に少なくとも発光層を含む有機層を一対の電極にて挟持する積層体を設けてなる有機ＥＬパネルであって、
前記一対の電極の間に介在し前記有機層の発光領域内に点状に複数設けられる絶縁体を備えてなることを特徴とする有機ＥＬパネル。
【発明の詳細な説明】
【技術分野】
【０００１】
本発明は、少なくとも発光層を有する有機層を一対の電極で挟持した積層体を支持基板上に配設する有機ＥＬ（エレクトロルミネッセンス）パネルに関するものである。
【背景技術】
【０００２】
従来、有機ＥＬパネルとしては、ガラス材料からなる透光性基板上に、ＩＴＯ（Ｉｎｄｉｕｍ  Ｔｉｎ  Ｏｘｉｄｅ）等によって陽極となる透明電極（前面電極）と、正孔注入層，正孔輸送層，発光層及び電子輸送層からなる有機層と、陰極となるアルミニウム（Ａｌ）等の非透光性の背面電極とを順次積層して積層体である有機ＥＬ素子を形成し、この積層体を覆うガラス材料からなる封止部材を透光性基板上に配設してなるものが知られている。このような有機ＥＬパネルは、例えば特許文献１に開示されている。
【特許文献１】特開２００１−２６７０６６号公報
【発明の開示】
【発明が解決しようとする課題】
【０００３】
このような有機ＥＬパネルは、発光層の材料が限られており、所望の色味にて発光表示させることが困難となる場合があった。そのため、所望の色味に変換するためのカラーフィルタ等を用いる必要があり、コストを高めてしまう問題が生じていた。また、色味だけでなく所望の輝度やグラデーション表示など種々の表示形態にそれぞれ対応できる有機ＥＬパネルが望まれていた。
【０００４】
そこで、本発明の目的とするところは、上述した問題に着目してなされたものであって、コストを高めることなく、所望の表示形態にて表示できる有機ＥＬパネルを提供することにある。
【課題を解決するための手段】
【０００５】
本発明の有機ＥＬパネルは、請求項１に記載したように、透光性の支持基板上に形成される透明電極と、前記透明電極の上に位置して発光を呈する有機層と、前記有機層の上に位置して前記透明電極と対向する背面電極と、前記背面電極と前記透明電極との間に介在し前記有機層の発光領域内に点状に複数設けられる絶縁体と、を備えてなることを特徴とするものである。
【０００６】
また、請求項２に記載したように、請求項１に記載の有機ＥＬパネルにおいて、前記絶縁体は、前記透明電極と前記有機層との間に介在し、外径が０．１５ｍｍ以下のものが複数設けられてなることを特徴とするものである。
【０００７】
また、請求項３に記載したように、請求項１または請求項２に記載の有機ＥＬパネルにおいて、前記絶縁体は、透光性の材料からなることを特徴とするものである。
【０００８】
また、請求項４に記載したように、請求項３に記載の有機ＥＬパネルにおいて、前記絶縁体は、有色の材料からなることを特徴とするものである。
【０００９】
また、請求項５に記載したように、請求項４に記載の有機ＥＬパネルにおいて、前記絶縁体は、前記発光領域内において、配設密度の高い部分と低い部分とが設けられてなることを特徴とするものである。
【００１０】
また、本発明の有機ＥＬパネルは、請求項６に記載したように、支持基板上に少なくとも発光層を含む有機層を一対の電極にて挟持する積層体を設けてなる有機ＥＬパネルであって、前記一対の電極の間に介在し前記有機層の発光領域内に点状に複数設けられる絶縁体を備えてなることを特徴とするものである。
【発明の効果】
【００１１】
本発明は、少なくとも発光層を有する有機層を一対の電極で挟持した積層体を支持基板上に設ける有機ＥＬパネルに関して、コストを高めることなく、所望の表示形態にて表示できる有機ＥＬパネルを提供できる。
【発明を実施するための最良の形態】
【００１２】
以下、本発明の実施の形態を添付図面に基づき説明する。
【００１３】
図１及び図２において、有機ＥＬパネルは、ガラス基板（支持基板）１と、透明電極（電極）２と、絶縁層３と、有機層４と、背面電極（電極）５と、封止部材６と、接着部材７、吸着部材８とから主に構成されている。
【００１４】
ガラス基板１は、ガラス材からなる透光性な平板状の支持基板である。
【００１５】
透明電極２は、ガラス基板１上にＩＴＯ等の導電性材料を蒸着法やスパッタリング法等の手段によって形成されるもので、表示部２ａと、この表示部２ａから引き出し形成されたリード部（配線部）２ｂと、リード部２ｂの終端部に設けられる電極部２ｃとを備えている。なお、電極部２ｃは、ガラス基板１の端部付近に設けられる。
【００１６】
絶縁層３は、例えば、ポリイミド系等の絶縁材料からなり、蛍光色の顔料を含んだ透光性の材料のものが適用できる。絶縁層３は、例えばフォトリソグラフィー法等の手段によって形成される。絶縁層３は、発光表示する輪郭に対応した枠部３１と、発光領域内に設けられる調整部（絶縁体）３２と、から構成され、透明電極２と背面電極５とに挟まれた有機層４において、部分的に通電しないようにするものである。
【００１７】
枠部３１は、発光領域の輪郭を鮮明に表示するため、透明電極２の表示部２ａの周縁部と若干重なるように形成される。また、枠部３１は、背面電極５の後述する電極部に対応する切欠部３１ａを有し、透明電極２と背面電極５との絶縁を確保するためにリード部２ｂ上を覆うように配設される。
【００１８】
また、調整部３２は、枠部３１によって区画される有機層４の発光領域内において、外径が、例えば０．１５ｍｍの点状に多数設けられる。この場合、調整部３２は、発光領域内において、配設密度が高い部分と密度が低い部分とが設けられる。
【００１９】
有機層４は、少なくとも発光層を有するものであれば良いが、本発明の実施の形態においては正孔注入層，正孔輸送層，発光層及び電子輸送層を蒸着法等の手段によって順次積層形成してなるものである。有機層４は、絶縁層３における枠部３１の形成箇所に対応するように所定の大きさをもって配設される。
【００２０】
背面電極５は、アルミニウム（Ａｌ）やアルミリチウム（Ａｌ：Ｌｉ），マグネシウム銀（Ｍｇ：Ａｇ）等の金属性の導電性材料を蒸着法やスパッタリング法等の手段によって形成されるものであり、有機層４上に配設される。背面電極５は、透明電極２における各電極部２ｃと隣接するようにガラス基板１の一辺に設けられるリード部５ａと電気的に接続される。なお、リード部５ａの終端には、電極部５ｂが設けられ、リード部５ａ及び電極部５ｂは透明電極２と同材料により形成される。
【００２１】
以上のように、ガラス基板１上に透明電極２と絶縁層３と有機層４と背面電極５とを順次積層した積層体Ａと、リード部２ｂ，５ａおよび電極２ｃ，５ｂと、を形成することで発光可能な有機ＥＬパネルを得ることができる。
【００２２】
封止部材６は、例えばガラス材料からなる平板部材に凹部６ａを形成してなるものである。封止部材６は、凹部６ａを取り囲むように形成されガラス基板１に対して所定間隔（例えば、０．５ｍｍ）を保持するための支持部６ｂを、接着部材７を介しガラス基板１上に気密的に配設することで、封止部材６とガラス基板１とで積層体Ａを収納する気密空間Ｓを構成する。封止部材６は、透明電極２の電極部２ｃ及び背面電極５の電極部５ｂが外部に露出するようにガラス基板１よりも若干小さ目に構成されている。
【００２３】
接着部材７は、例えば紫外線硬化型エポキシ樹脂接着剤からなる速硬性のものが用いられる。また、接着部材７は、封止部材６の支持部６ｂ面（封止部材６のガラス基板１に接触する部分）に線形状に配設されつつ、ガラス基板１と封止部材６とを接着固定するものである。また、接着部材７によって、封止部材６とガラス基板１とが気密的に接着されることにより、気密空間Ｓと外部とを隔離することになる。
【００２４】
吸着部材８は、封止部材６の有機ＥＬ素子１０との対向面、即ち封止部材６の凹部６ａの底面の周縁付近（支持部６ｂ近傍箇所）に配設される。吸着部材８は、活性アルミナ，モレキュラシーブス，酸化カリウム及び酸化バリウム等の物理的あるいは化学的に水分を吸着する吸着剤を有するもので、吸着剤が流動しない程度の粘性を有するクリーム状あるいはゲル状の部材である。
【００２５】
以上の各部によって有機ＥＬパネルが構成される。かかる有機ＥＬパネルは、透光性のガラス基板１上に形成される透明電極２と、透明電極２の上に位置して発光を呈する有機層４と、有機層４の上に位置して透明電極２と対向する背面電極５と、背面電極５と透明電極２との間に介在し有機層４の発光領域内に点状に複数設けられる調整部３２と、を備えてなる。
【００２６】
したがって、調整部３２によって、背面電極５と透明電極２との間を部分的に絶縁して、有機層４に電流が流れず、この部分が発光しないため、やや輝度が低下する。そのため、部分的な輝度調整や微妙な輝度調整を行うことが可能となる。
【００２７】
また、上述した有機ＥＬパネルは、調整部３２と枠部３１とが、同材料で同じ工程にて形成することができるため、余計な部品を用いてコストを高めることなく、輝度や色味など所望の表示形態に調整して表示することができる。
【００２８】
また、調整部３２は、蛍光色の顔料を含み有色で透光性の材料のものであるため、点状の調整部３２の周囲の有機層４の発光を透過および屈折させて、若干色味を変えることができる。
【００２９】
また、調整部３２は、外径が０．１５ｍｍ以下の目視し難いサイズであり、また透光性であるために、有機ＥＬパネルの視認者が、調整部３２の存在を意識することなく、輝度や色味などの表示形態を調整することができる。
【００３０】
また、調整部３２は、配設密度が高い密な部分と密度が低い疎な部分とが設けられることによって、例えば、色味の濃淡もしくは輝度の明暗によってグラデーション表示させることもできる。また、調整部３２を部分的に密集させて設けることによって、部分的に輝度や色味を調整することができる。なお、調整部３２の外径の大きさ（面積）をそれぞれ異なるように配置することによって、配置調整部３２の疎密による表示形態の調整と同様な色味の濃淡もしくは輝度の明暗を得ることもできる。
【００３１】
なお、上述した実施の形態における調整部３２は、透明電極２と有機層４との間に設けてなる構成について例を挙げて説明したが、本発明はこれに限定されるものではなく、絶縁体なる調整部が有機層を挟む一対の電極間に設けられればよく、例えば、背面電極と有機層との間に設けられる構成であってもよい。また、支持基板上に遮光性な一方の電極を設け、絶縁体なる調整部、有機層、透明な他方の電極を順に積層するものであってもよく、上述した実施の形態と同様な効果が得られる。
【図面の簡単な説明】
【００３２】
【図１】本発明の実施の形態の有機ＥＬパネルを示す斜視図。
【図２】同上実施の形態の有機ＥＬパネルの断面図。
【符号の説明】
【００３３】
１    ガラス基板（支持部材）
２    透明電極（電極）
２ｂ  リード部（配線部）
３２  調整部（絶縁体）
４    有機層
５    背面電極（電極）
５ａ  リード部（配線部）
【図１】
2006012704.tif 000003
【図２】
2006012704.tif 000004